(57)【特許請求の範囲】
【請求項１】
断面形状が円形のプラスチックボトルにおいて、上胴部及び下胴部にそれぞれ複数の傾斜パネルを周方向に設け、上記上胴部及び上記下胴部におけるそれぞれの上記傾斜パネル間の傾斜柱部を実質的に等しい最大外径とし、上記上胴部及び下胴部間の中間胴部の縦断面形状を外方に突出する曲面にすると共に、その外径を上記傾斜柱部よりも小径にしたことを特徴とするプラスチックボトル。
【発明の詳細な説明】
【０００１】
【産業上の利用分野】
本発明は、プラスチックボトルに関し、特に、自動販売機に装填、販売され、商品名等を表すために印刷されたシュリンクラベル、ストレッチラベル、あるいは紙ラベル等のラベルが胴部に装着される胴部の横断面形状が円形のプラスチックボトルに関する。
【０００２】
【従来技術】
従来の果汁飲料、ウーロン茶、コーヒー、紅茶等の飲料が充填され、密封後に減圧となる耐熱用プラスチックボトル、あるいは無菌充填されるプラスチックボトルは、特開平１０−２１８１４８号に例示されるように、胴部の断面形状が円形で、胴部中央の周溝によって胴部をそれぞれ径が異なる上胴部と下胴部に区分し、上記上胴部に商品名等を表示するシュリンクラベル等を装着し、一方、下胴部に減圧を吸収するための減圧吸収パネルを設けている。
【０００３】
【発明が解決しようとする課題】
上記した従来のプラスチックボトルは、上胴部が下胴部に対して小径で、図４及び図５に示すように、飲料等を充填して密封した後、自動販売機内に横倒して装填・積載すると、図４に示すように、上下のプラスチックボトル、例えば、プラスチックボトルＢ及びＣの上胴部間同士に隙間が形成され、装填・積載時にプアラスチックボトルが上胴部方向に傾いてしまう。
【０００４】
また、傾いた状態で装填・積載されたプラスチックボトルは、下方のプラスチックボトルＢほど、その上方に積載されたプラスチックボトルの自重が蓄積され、特に、上胴部と下胴部の境界部において凹み等の変形を生じ易い。
【０００５】
そして、図５に示すように二列の内の片方側のみ示すが、販売に供する自動販売機からの排出は、ガイドＧに装填・積載されたプラスチックボトルの内、ストッパーＳを矢印方向に約４５度振り子状に回動し、最も下方のプラスチックボトルＢの上方に位置するプラスチックボトルＣを、上記ストッパーＳの短辺部Ｒで支持しながら上記した最も下方に位置するプラスチックボトルＢの上記ストッパーＳの長辺部Ｌによる支持を開放して排出する。
【０００６】
次いで、ストッパーＳを、図５の矢印方向と逆方向に回動させ、上記プラスチックボトルＣを、上記ストッパーＳの長辺部Ｌで支持して待機する。
【０００７】
しかしながら、上記したように、装填・積載時の傾斜、あるいは凹み等の変形を生じると、最も下方のプラスチックボトルＢが排出される際に、その上方のプラスチックボトルＣも自動販売機のストッパーＳを潜り抜けて、１度の操作で二本のプラスチックボトルが排出されてしまうことがある。
【０００８】
【課題を解決するための手段】
本発明によれば、断面形状が円形のプラスチックボトルにおいて、上胴部及び下胴部にそれぞれ複数の傾斜パネルを周方向に設け、上記上胴部及び上記下胴部におけるそれぞれの上記上胴部及び下胴部の傾斜パネル間の傾斜柱部を実質的に等しい最大外径とし、上記上胴部及び下胴部間の中間胴部の縦断面形状を外方に突出する曲面にすると共に、その外径を上記傾斜柱部よりも小径にしたプラスチックボトルが提供される。
【０００９】
【発明の実施の形態】
本発明のプラスチックボトルによれば、上胴部及び下胴部に、それぞれ複数の傾斜パネルを周方向に設け、上記上胴部及び上記下胴部におけるそれぞれの上記上胴部及び下胴部の傾斜パネル間の傾斜柱部を実質的に等しい最大外径部にすることより、上記プラスチックボトルを自動販売機内に横倒して装填・積載した際に、上下のプラスチックボトルは、互いに、上記傾斜パネル間に形成される傾斜柱部同士で当接し合い、平行な状態に装填・積載される。
【００１０】
また、上胴部及び下胴部の各々に、複数の傾斜パネルを周方向に設けているので、果汁飲料、ウーロン茶、コーヒ、紅茶等の飲料の充填・密封後に生じるプラスチックボトル内の減圧は、上記傾斜パネルの径方向内方への変形及び周方向への捻れ変形と、上記傾斜パネル間の傾斜柱部の周方向へ捻れ変形によって効果的に吸収される。
【００１１】
また、上記した減圧吸収時の径方向内方、あるいは周方向への捻れ変形により、さらにプラスチックボトルの上胴部及び下胴部の機械的強度が向上し、自動販売機内に横倒しに装填・積載した際に、下方のプラスチックボトルが、上方のプラスチックボトルの自重による凹み等を生じる恐れが無く、販売に供する際の排出おいて、一本づつの正常な動作が確保される。
【００１２】
また、中間胴部は、縦断面形状を外方に突出する曲面で、減圧時の内方への変形が防止されると共に、ラベルに上記胴中間部全体を取り巻くシュリンクラベル、あるいはストレッチラベル等を採用した場合は、ラベルが上下方向に抜けることがない。
【００１３】
また、中間胴部を、上胴部及び下胴部に設けた最大外径の傾斜柱部より小径にして、外方に突出しないように設けているので、プラスチックボトルを自動販売機内に装填・積載しても、ラベルが装着される上記中間胴部同士が接触せず、上記ラベルの擦れ、剥がれ等の外観不良を生じない。
【００１４】
さらに、搬送時、あるいはバルク輸送時等において、プラスチックボトル同士が接触しても、機械的強度が向上した実質的に等しい最大外径の胴上部及び胴下部の傾斜柱部によって、プラスチックボトルが凹むことがなく、ラベルの擦れ、剥がれ等の外観不良を生じることもない。
【００１５】
【実施例】
次に、図面に基づいて本発明の胴部の断面形状が円形のプラスチックボトルを説明するが、これらの具体例は本発明の内容を限定するものではない。
【００１６】
図１は本発明のプラスチックボトルを示す正面図、図２は図１におけるＡ−Ａ断面図、図３は本発明のプラスチックボトルを自動販売機に装填・積載した状態を示す参考図である。
【００１７】
図１、図２に示すように、プラスチックボトル１は、口部２、肩部３、上胴部４、下胴部５、上記上胴部４と下胴部５の間に設けられた中間胴部６、及び上記下胴部５の下方に設けられた底部７から構成される。
【００１８】
上胴部４及び下胴部５は、各々、径方向内方に凹んだ傾斜パネル８を周方向に等間隔に８個有し、上記傾斜パネル８、８間には傾斜柱部９が設けられており、上記上胴部４及び下胴部５におけるそれぞれの傾斜柱部９の外径実質的に等しく、プラスチックボトル１の最大外径である。
【００１９】
傾斜柱部９の傾斜角度は、図１に示すように、隣り合う上記傾斜柱部９の上端部と下端部が周方向においてほぼ重なる位置、あるいは図示しないが、周方向において上記傾斜柱部９の傾斜角度内に位置するように設けられる。
【００２０】
上胴部４及び下胴部５の間に設けられる中間胴部６は、縦断面形状が外方に突出する曲面で、上記上胴部４及び下胴部６の間に周状凹溝１０、１０が設けられている。
【００２１】
また、中間胴部６の曲面の曲率半径は５０乃至２００ｍｍの範囲が好ましく、５０ｍｍ未満であると、その上下端部が接続する周状溝１０が小径となるため、二軸延伸ブロー成形時に上記周状溝１０が厚肉となり、下胴部５が薄肉となって強度が低下する。
【００２２】
一方、２００ｍｍを越えると充填・密封後の減圧時に径方向内方への変形を生じ、装着されたラベルが歪んで商品価値が低下する。
【００２３】
そして、中間胴部６の外径は、胴上部４及び胴下部５の傾斜パネル８間に設けられる傾斜柱部９の外径よりも小径で、上記傾斜柱部９から径方向に突出しないように設けられる。
【００２４】
尚、中間胴部６には、ラベル面を補強するために、図示しないが周状あるいは縦方向の凹溝を設けても良い。
【００２５】
本発明のプラスチックボトル１は、内容液を充填・密封後、減圧状態で、図３に示すように、自動販売機内に横倒しで装填・積載すると、上下のプラスチックボトルが、その上胴部４と下胴部６の各々に設けた最大外径の傾斜柱部９同士で当接し、上胴部４の方向に傾斜することなく平行状態を確実に保って維持され、上方のプラスチックボトルの自重を、上胴部４及び下胴部５の傾斜柱部で受け止めることが可能になる。
【００２６】
【発明の効果】
本発明のプラスチックボトルによれば、内容液を充填・密封した減圧状態のプラスチックボトルを販売に供するため自動販売機内に横倒し状態で装填・積載した際に、上下のプラスチックボトルが平行状態で確実に保たれ、減圧吸収が効果的に行われる共に、胴部の胴上部及び胴下部の機械強度が大きくなり、上記装填・積載時の下方のプラスチックボトルにおける凹み等の変形が防止される。
【００２７】
また、上記、平行状態で装填・積載、及びプラスチックボトルの凹み等の変形の防止により、販売に供する際のストッパーの潜り抜けが防止され、一個づつの正常な販売が確保される。
【００２８】
また、装着されるラベルの擦れ、剥がれ等の外観不良を回避することができ、特に、ラベルに胴部の胴中間部全体を取り巻くシュリンクラベル、あるいはストレッチラベル等を採用した場合は、上下方向に抜けることがない。
【００２９】
さらに、搬送時、あるいはバルク輸送時等において、プラスチックボトル同士が接触しても、機械的強度が向上した実質的に等しい最大外径の胴上部及び胴下部の傾斜柱部によって、プラスチックボトルが凹むことがなく、ラベルの擦れ、剥がれ等の外観不良を生じることもない。
【図面の簡単な説明】
【図１】本発明のプラスチックボトルを示す正面図。
【図２】図１におけるＡ−Ａ断面図。
【図３】  本発明のプラスチックボトルを自動販売機に装填・積載した状態を示す参考図。
【図４】従来のプラスチックボトルを自動販売機に装填・積載した状態を示す参考図。
【図５】従来のプラスチックボトルを取り出し状態を示す参考図。
【符号の説明】
１      プラスチックボトル
２      口部
３      肩部
４      上胴部
５      下胴部
６      中間胴部
７      底部
８      傾斜パネル
９      傾斜柱部
１０    周状溝
- 15 -
【図１】
0004214583.tif 000002
【図２】
0004214583.tif 000003
【図３】
0004214583.tif 000004
【図４】
0004214583.tif 000005
【図５】
0004214583.tif 000006